(57)【要約】【課題】従来の技術による諸問題を解決するための半導体製作工程及び歩留まり分析の統合的実時間管理方法を提供する。【解決手段】半導体製作工程及び歩留まり分析の統合的実時間管理方法は、半導体製作工程において複数のアイテムで複数の半導体製品を検査して検査結果を記録し、予定ルールで複数の半導体製品を複数のグループに分類して各グループの検査結果によって生データを生じさせ、生データと関連グループをデータベースに保存し、予定製品ルールでデータベースに保存される複数の半導体製品グループに索引をつけ、予定パラメーターで各半導体製品グループの生データに索引をつけるとともに分析モジュールで索引のついた半導体製品グループと生データに基づいて分析結果を計算し、半導体製品グループと生データによって分析結果を表示するなどのステップを含む。【選択図】図２
2005236250.tif 000002
【特許請求の範囲】
【請求項１】
半導体製作工程において複数のアイテムで複数の半導体製品を検査して検査結果を記録し、
予定ルールで複数の半導体製品を複数のグループに分類して各グループの検査結果によって生データを生じさせ、生データと関連グループをデータベースに保存し、
予定製品ルールでデータベースに保存される複数の半導体製品グループに索引をつけ、予定パラメーターで各半導体製品グループの生データに索引をつけ、分析モジュールで索引のついた半導体製品グループと生データに基づいて分析結果を計算し、
半導体製品グループと生データによって分析結果を表示するステップを含むことを特徴とする半導体製作工程及び歩留まり分析の統合的実時間管理方法。
【請求項２】
前記複数の半導体製品はウエハーの異なる位置におけるチップであり、前記方法は、チップ位置の検査結果の統計値で半導体製品グループに索引をつけ、各チップの検査結果をウエハーにある位置別で表示することを特徴とする請求項１記載の半導体製作工程及び歩留まり分析の統合的実時間管理方法。
【請求項３】
前記複数の半導体製品はグループと仕切が異なるウエハーであり、前記方法は、ウエハーのグループと、仕切と、製作日付との検査結果の統計値で半導体製品グループに索引をつけ、各ウエハーの検査結果をウエハーのグループ、仕切、製作日付別で表示することを特徴とする請求項１記載の半導体製作工程及び歩留まり分析の統合的実時間管理方法。
【請求項４】
前記検査結果と半導体製品検査結果統計は予定の周期によって索引をつけられて表示されることを特徴とする請求項１記載の半導体製作工程及び歩留まり分析の統合的実時間管理方法。
【請求項５】
前記複数の半導体製品はさまざまな工程で処理されたウエハーであり、前記検査結果は製作工程におけるウエハーの欠陥検査結果であって製品のグループとウエハーの製作日付によって索引をつけられて表示されることを特徴とする請求項１記載の半導体製作工程及び歩留まり分析の統合的実時間管理方法。
【請求項６】
前記複数の半導体製品はさまざまな工程で処理されたウエハーであり、検査結果の時間趨勢によって索引づけと統計を行い、製作工程の種類及び時間によって趨勢図を表示することを特徴とする請求項１記載の半導体製作工程及び歩留まり分析の統合的実時間管理方法。
【請求項７】
前記複数の半導体製品はさまざまな工程で処理されたウエハーであり、予定周期内に索引づけと統計を行い、予定周期によって関連の検査結果を表示することを特徴とする請求項１記載の半導体製作工程及び歩留まり分析の統合的実時間管理方法。
【請求項８】
前記方法は更に、それぞれ周期内において分析結果を記録し、分析結果の類似性を比較して類似している分析結果を表示するステップを含むことを特徴とする請求項１記載の半導体製作工程及び歩留まり分析の統合的実時間管理方法。
【請求項９】
前記それぞれ周期内における分析結果は、検査値によって複数のモジュールとして記録され、前記方法は、分析結果を先行の分析結果と比較し、分析結果が先行の分析結果と類似していない場合、検査値を更新して新しい分析結果モジュールを成立し、分析結果が先行の分析結果と類似している場合、分析結果を記録することを特徴とする請求項８記載の半導体製作工程及び歩留まり分析の統合的実時間管理方法。
【請求項１０】
前記分析結果はコンピューターのビジュアルインターフェイスによって表示されることを特徴とする請求項１記載の半導体製作工程及び歩留まり分析の統合的実時間管理方法。
【請求項１１】
前記索引つけられた半導体製品のグループはビジュアルインターフェイスで箇条ごとに表示され、使用者は半導体製品グループの索引によって相応する生データと分析結果を検索できることを特徴とする請求項１０記載の半導体製作工程及び歩留まり分析の統合的実時間管理方法。
【請求項１２】
前記生データはビジュアルインターフェイスで箇条ごとに表示され、使用者は生データの索引によって相応する分析結果を検索できることを特徴とする請求項１記載の半導体製作工程及び歩留まり分析の統合的実時間管理方法。
【請求項１３】
半導体製作工程のインライン歩留まり検査するステップを含むことを特徴とする請求項１記載の半導体製作工程及び歩留まり分析の統合的実時間管理方法。
【請求項１４】
ウエハーのサンプルテストするステップを含むことを特徴とする請求項１記載の半導体製作工程及び歩留まり分析の統合的実時間管理方法。
【請求項１５】
ウエハーテストするステップを含むことを特徴とする請求項１記載の半導体製作工程及び歩留まり分析の統合的実時間管理方法。
【請求項１６】
最終テストするステップを含むことを特徴とする請求項１記載の半導体製作工程及び歩留まり分析の統合的実時間管理方法。
【請求項１７】
データの送信及び検索によって、半導体製品のインライン品質管理、製作工程の根本原因分析（ＲＣＡ）、製作工程の品質管理及び歩留まり改善などの分析結果が提供されることを特徴とする請求項１記載の半導体製作工程及び歩留まり分析の統合的実時間管理方法。
【請求項１８】
前記分析モジュールはＴ検定、一元配置分散分析、二元配置分散分析、または箱ひげ図などであることを特徴とする請求項１記載の半導体製作工程及び歩留まり分析の統合的実時間管理方法。
【請求項１９】
前記分析結果の表示は、
使用者が予定の表示モードを設定して分析結果の表示方式を記録し、
分析結果を予定の表示モードで表示するステップを含むことを特徴とする請求項１記載の半導体製作工程及び歩留まり分析の統合的実時間管理方法。
【請求項２０】
前記分析結果の表示は更に、
それぞれ分析結果の表示方式と対応する複数の予定表示モードを提供し、使用者が複数の予定表示モードから表示モードを選定することを特徴とする請求項１９記載の半導体製作工程及び歩留まり分析の統合的実時間管理方法。
【請求項２１】
前記半導体製品の検査結果は予定ターゲットモジュールによって製作及び歩留まり改善のターゲットに変換されることを特徴とする請求項１記載の半導体製作工程及び歩留まり分析の統合的実時間管理方法。
【発明の詳細な説明】
【技術分野】
【０００１】
この発明は管理方法に関し、特に半導体製作工程及び歩留まり分析の統合的実時間管理方法に関する。
【背景技術】
【０００２】
半導体製作工程において、製作工程を監視制御して改良するため大量のデータが必要である。図１を参照する。図１は従来の半導体製作工程１０のフローチャートである。複数のウエハー１２を処理する半導体製作工程１０は、薄膜堆積１４、拡散１６、フォトマスク１８、エッチング２０、サンプルテスト２２、ウエハーテスト２４、最終テスト２６など７回の工程からなり、各工程から、半導体製作工程１０を制御して改良するための複数のテスト結果は得られる。しかし、従来のデータは統合されていないので、半導体製作工程１０の監視は困難である。なお、さまざまな管理クラスで大量のデータから有効のデータを選出するのも簡単ではない。
【発明の開示】
【発明が解決しようとする課題】
【０００３】
この発明は前述の問題を解決するための半導体製作工程及び歩留まり分析の統合的実時間管理方法を提供することを課題とする。
【課題を解決するための手段】
【０００４】
この発明は半導体製作工程及び歩留まり分析の統合的実時間管理方法を提供する。当方法は、半導体製作工程において複数のアイテムで複数の半導体製品を検査して検査結果を記録し、予定ルールで複数の半導体製品を複数のグループに分類して各グループの検査結果によって生データを生じさせ、生データと関連グループをデータベースに保存し、予定製品ルールでデータベースに保存される複数の半導体製品グループに索引をつけ、予定パラメーターで各半導体製品グループの生データに索引をつけるとともに分析モジュールで索引のついた半導体製品グループと生データに基づいて分析結果を計算し、半導体製品グループと生データによって分析結果を表示するなどのステップを含む。
【発明の効果】
【０００５】
この発明による半導体製作工程及び歩留まり分析の統合的実時間管理方法は、半導体製作工程の検査結果を種々の図表で表し、管理階層別に応じてウェッブページで統合するので、実時間で双方向の監視と管理は実現できる。
【発明を実施するための最良の形態】
【０００６】
かかる装置及び方法の特徴を詳述するために、具体的な実施例を挙げ、図示を参照にして以下に説明する。
【０００７】
図２を参照する。図２はこの発明による半導体製作工程及び歩留まり分析の統合的実時間管理方法のフローチャートであり、その説明は以下の通りである。
【０００８】
ステップ３０：半導体製作工程で複数の半導体製品のアイテムを検査して検査結果を記録する。
【０００９】
ステップ３２：予定ルールで半導体製品を複数のグループに分類し、各グループの検査結果によって生データを生じさせる。
【００１０】
ステップ３４：生データと関連グループをデータベースに保存する。
【００１１】
ステップ３６：予定ルールでデータベースに保存される複数の半導体製品グループに索引をつける。予定パラメーターで各半導体製品グループの生データに索引をつける。分析モジュールで索引のついた半導体製品グループと生データに基づいて分析結果を計算する。
【００１２】
ステップ３８：索引のついた半導体製品グループと生データに基づいた分析結果をウェッブページに表示する。
【００１３】
図３を参照する。図３は図２の表示ステップにおける表示フレーム４０を表す説明図である。表示フレーム４０は図１による７回の工程に基づいて工程別で分析結果５６を表示する。分析結果５６は、サンプルテストクラス４２、ウエハーテストクラス４４、最終テストクラス４６、欠陥検査クラス４８、Ｃｐ／Ｃｐｋ統計クラス５０、実時間規格警報クラス５２、根本原因分析（ＲＣＡ）クラス５４などのクラスを含む。
【００１４】
図４を参照する。図４は図３におけるサンプルテストクラス４２、ウエハーテストクラス４４、最終テストクラス４６の表示フレーム６０を表す説明図である。表示フレーム６０は複数のクエリーアイテム６２と、クエリーボタン６４と、複数の分析アイテム６６と、複数の分析結果６８とを含む。使用者はまずクエリーアイテム６２を設定する。クエリーアイテム６２は半導体製品、製作工程、製作日付などを含む。クエリーボタン６４を押すと、分析結果６８は仕切番号６５と分析アイテム６６別で表示される。分析結果６８は、仕切番号、品名末尾、テスト時間、ウエハー番号、歩留まり、ウエハーのＤＣマップ、統計図、修復率などを含む。言い換えれば、半導体製品はウエハー、仕切番号、時間（例えばテスト時間と製作日付）で分類され、使用者は図４における統合インターフェイスで統計分析結果（例えば歩留まりと修復率）を呼び出すことができる。複数のＤＣマップボタン６７と複数の統計図アイテム６９はいずれも、特定仕切番号のある各ウエハーのＤＣマップと統計図を表示するためのその他の表示フレームにハイパーリンクされる。図５を参照する。図５は図４における表示フレーム６０が表示するＤＣマップ６７と統計図６９を表す説明図である。クエリーアイテム６２と仕切番号６５別で、各ウエハーのＤＣマップ７１と統計図７３は表示フレーム６０に表示される。
【００１５】
図６を参照する。図６は図３における欠陥検査クラス４８の表示フレーム７０を表す説明図である。表示フレーム７０は複数のクエリーアイテム７２と、クエリーボタン７４と、明視野分析結果７６と、暗視野分析結果７８とを含む。使用者はまずクエリーアイテム７２を設定する。クエリーアイテム７２は半導体製品と製作日付などを含む。クエリーボタン７４を押すと、明視野分析結果７６と暗視野分析結果７８はウエハーのクラス別で表示される。それは図４における分析結果６８と同じく、仕切番号、品名末尾、テスト時間、ウエハー番号、歩留まり、ウエハーのＤＣマップ、統計図、修復率などを含む。言い換えれば、半導体製品は処理方法（例えば暗視野と明視野）で分類され、使用者は図６におけるインターフェイスで分析結果を呼び出すことができる。図７を参照する。図７は図３におけるＣｐ／Ｃｐ統計クラス５０の表示フレーム８０を表す説明図である。表示フレーム８０は、拡散８２、エッチング８４、フォトマスク８６、薄膜堆積８８など４回の工程の統計データを表示する。各工程の統計データは統計図９０、統計表９２で表示される。統計図９０は統計値の時間別の趨勢を表し、統計表９２は、工程の平均値、標準偏差、Ｃｐ、Ｃｐｋなどの統計値を表す。
【００１６】
図８を参照する。図８は図３における実時間規格警報クラス５２の表示フレーム１００を表す説明図である。表示フレーム１００は警報表１０２を含み、製作日付別で各工程の警報状況を表示する。各工程の細目はウエハーの仕切番号別で警報リスト１０４に表示される。これらの細目は、製作仕切番号、製作装置、製作日付、規格に合わない原因などを含み、使用者は警報リスト１０４それを記すことができる。図９は図３におけるＲＣＡ分析クラス５４の表示フレーム１１０を表す説明図である。表示フレーム１１０は複数の分析アイテム１１２、分析ボタン１１４と複数の分析結果１１６を含む。使用者は、製作技術、製作品目、製品、製作階層などの分析アイテム１１２を設定できる。分析ボタン１１４を押すと、分析結果１１６は製作変数名で表示される。製作変数名は製作時間、平均数、標準偏差などを含む。
【００１７】
図１０を参照する。図１０は多クラス管理構造１２０を表す説明図である。多クラス管理構造１２０はディレクター１２２と、複数のデパートメントマネージャー１２４と、複数のセクションマネージャー１２６と、複数のエンジニア１２８とを含む。統計データは大量の分析モジュールの形で各階層の管理者に示される。分析モジュールはＴ検定、一元配置分散分析、二元配置分散分析、箱ひげ図などを含む。分析結果は管理階層に応じて表示される。例えば、ディレクター１２２に歩留まりを示し、デパートメントマネージャー１２４に欠陥検査の結果を示し、セクションマネージャー１２６に各工程領域の統計結果を示し、エンジニア１２８に各検査による検査結果を示す。したがって、分析結果の表示は使用者の管理階層によって異なる。この発明は複数の表示モードを提供する。表示モードごとに分析結果の表示方式は記録される。使用者は表示モードから一つを選ぶことができる。例えば、エンジニアがインライン品質管理情報を取得しようとする場合、インライン品質に関する分析結果を表示する表示モードを選び、またはデパートメントマネージャーが特定製品または特定工程の歩留まりを知得しようとする場合、関連の表示モードを選ぶことができる。
【００１８】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００１９】
この発明による半導体製作工程及び歩留まり分析の統合的実時間管理方法は、半導体製作工程の検査結果を種々の図表で表し、管理階層別に応じてウェッブページで統合するので、実時間で双方向の監視と管理は実現できる。
【図面の簡単な説明】
【００２０】
【図１】従来の半導体製作工程のフローチャートである。
【図２】この発明による半導体製作工程及び歩留まり分析の統合的実時間管理方法のフローチャートである。
【図３】図２の表示ステップにおける表示フレームを表す説明図である。
【図４】図３におけるサンプルテストクラス、ウエハーテストクラス、最終テストクラスの表示フレームを表す説明図である。
【図５】図４における表示フレームが表示するＤＣマップと統計図を表す説明図である。
【図６】図３における欠陥検査クラスの表示フレームを表す説明図である。
【図７】図３におけるＣｐ／Ｃｐ統計クラスの表示フレームを表す説明図である。
【図８】図３における実時間規格警報クラスの表示フレームを表す説明図である。
【図９】図３におけるＲＣＡ分析クラスの表示フレームを表す説明図である。
【図１０】多クラス管理構造を表す説明図である。
【符号の説明】
【００２１】
１２                  ウエハー
１４、８８            薄膜堆積
１６、８２            拡散
１８、８６            フォトマスク
２０、８４            エッチング
２２                  サンプルテスト
２４                  ウエハーテスト
２６                  最終テスト
４０、６０、７０、８０、１００、１１０    表示フレーム
４２                  サンプルテストクラス
４４                  ウエハーテストクラス
４６                  最終テストクラス
４８                  欠陥検査クラス
５０                  Ｃｐ／Ｃｐｋ統計クラス
５２                  実時間規格警報クラス
５４                  ＲＣＡ分析クラス
６６、１１２          分析アイテム
５６、６８、１１６    分析結果
６２、７２            クエリーアイテム
６４、７４            クエリーボタン
６５                  仕切番号
６７                  ＤＣマップボタン
６９                  統計図アイテム
７１                  ＤＣマップ
７３、９０            統計図
７６                  明視野分析結果
７８                  暗視野分析結果
９２                  統計表
１０２                警報表
１０４                警報リスト
１１４                分析ボタン
１２０                多クラス管理構造
１２２                ディレクター
１２４                デパートメントマネージャー
１２６                セクションマネージャー
１２８                エンジニア
【図１】
2005236250.tif 000003
【図２】
2005236250.tif 000004
【図３】
2005236250.tif 000005
【図４】
2005236250.tif 000006
【図５】
2005236250.tif 000007
【図６】
2005236250.tif 000008
【図７】
2005236250.tif 000009
【図８】
2005236250.tif 000010
【図９】
2005236250.tif 000011
【図１０】
2005236250.tif 000012